(57)【特許請求の範囲】
【請求項１】
走査電極および維持電極からなる電極群を互いに平行に配列して設けた表面基板と、前記走査電極および維持電極と直交する方向に複数のアドレス電極を互いに平行に配列して設けた背面基板とを有し、これらの表面基板と背面基板とを放電空間を挟んで対向配置することによりＡＣ型プラズマディスプレイパネルを構成し、かつ１フィールドをアドレス期間および維持期間を有する複数のサブフィールドにより構成するとともに、パネルの全ての画素に対して行う全面初期化動作を一部のサブフィールドに限定したＡＣ型プラズマディスプレイパネルの駆動方法であって、維持期間の最後は、維持電極側が陽極となるようなパルス電圧を印加して維持放電を起こした後に、走査電極側が陽極になる上りの傾斜電圧波形を印加して放電を起こし、その後の初期化動作は、前記上りの傾斜電圧波形を印加した後、直ちに下りの傾斜電圧波形を印加することを特徴とするＡＣ型プラズマディスプレイパネルの駆動方法。
【発明の詳細な説明】
【０００１】
【発明の属する技術分野】
本発明は、ＡＣ型プラズマディスプレイパネルの駆動方法に関するものである。
【０００２】
【従来の技術】
図８（ａ）、（ｂ）にＡＣ型プラズマディスプレイパネルの断面図を示す。図８に示すように、パネル１は、放電空間２を挟んでガラス製の表面基板３とガラス製の背面基板４とが対向して配置されているとともに、その間隙には放電によって紫外線を放射するガス、ネオン、ヘリウムおよびキセノンが封入されている。表面基板３上には、誘電体層５および保護膜６で覆われた対を成す帯状の走査電極７と維持電極８とからなる電極群が互いに平行配列されている。なお、走査電極７と維持電極８は、それぞれＩＴＯからなる透明導電膜７ａ、８ａとＡｇからなるバス電極７ｂ、８ｂとにより構成されている。
【０００３】
背面基板４上には、走査電極７および維持電極８と直交する方向に複数の帯状のアドレス電極９が互いに平行配列されており、また各アドレス電極９を隔離し、かつ放電空間２を形成するための帯状の隔壁１０がアドレス電極９の間に設けられている。また、アドレス電極９上から隔壁１０の側面にわたって蛍光体層１１が形成されている。
【０００４】
このパネル１は表面基板３側から画像表示を見るようになっており、放電空間２内での走査電極７と維持電極８との間の放電により発生する紫外線によって、蛍光体層１１を励起し、この蛍光体層１１からの可視光を表示発光に利用するものである。
【０００５】
次に、従来のパネル１に画像データを表示させる方法について説明する。
【０００６】
従来のパネルを駆動する方法として、１フィールド期間を２進法に基づいた発光期間の重みを持った複数のサブフィールドに分割し、発光させるサブフィールドの組み合わせによって階調表示を行う。各サブフィールドは初期化期間、アドレス期間および維持期間からなる。
【０００７】
画像データを表示するためには、初期化期間、アドレス期間および維持期間でそれぞれ異なる信号波形を各電極に印加する。初期化期間には、例えば維持電極８およびアドレス電極９に対して正極性のパルス電圧を全ての走査電極７に印加し、保護膜６および蛍光体層１１上に壁電荷を蓄積する。
【０００８】
アドレス期間では、全ての走査電極７に順次、負極性のパルスを印加することにより走査していく。表示データがある場合、走査電極７を走査している間に、アドレス電極９に正極性のデータパルスを印加すると、走査電極７とアドレス電極９との間で放電が起こり、走査電極７上の保護膜６の表面に壁電荷が形成される。
【０００９】
続く維持期間では、一定の期間、走査電極７と維持電極８との間に放電を維持するのに十分な電圧を印加する。これにより、走査電極７と維持電極８との間に放電プラズマが生成され、一定の期間、蛍光体層１１を励起発光させる。アドレス期間においてデータパルスが印加されなかった放電空間では、放電は発生せず蛍光体層１１の励起発光は起こらない。
【００１０】
ところで、ＡＣ型プラズマディスプレイパネルの駆動においては、パネルの全てのセルを初期化することが必要である。これを、全面初期化と呼ぶことにする。この全面初期化を行うことにより、ＡＣ型プラズマディスプレイでは背景輝度が上昇して、コントラストが悪化するという問題が発生する。
【００１１】
そこで、高コントラストを実現するために、特願平１１−４２５４９号では、パネル全画素に対して行う初期化を１フィールド期間中の一部のサブフィールドに限定することで、高コントラストを実現している。またこの特願平１１−４２５４９号では、パネル全画素に対して行う初期化を、連続的に変化する傾斜電圧波形を用いた微弱放電で行うことにより、背景輝度として約０．１５ｃｄ／ｍ2という小さい値を実現している。
【００１２】
【発明が解決しようとする課題】
高コントラストを実現することができる従来のＡＣ型プラズマディスプレイパネルの駆動波形を図９に示す。図９（ａ）は、走査電極７に印加する電圧波形、図９（ｂ）は、維持電極８に印加する電圧波形、図９（ｃ）は、アドレス電極９に印加する電圧波形である。図９（ｄ）は、放電発光波形を示している。
【００１３】
ＡＣ型プラズマディスプレイパネルにおいては、１フィールドに少なくとも１回、パネルの全画素に対して初期化を行う必要がある。この全面初期化を全てのサブフィールドで行うのではなく、一部のサブフィールドだけで行い、残りのサブフィールドは前のサブフィールドで維持したセルに対してのみ初期化を行うことで、高いコントラストを実現することができる。つまり、ｎ番目のサブフィールドで点灯しなかったセルでは、ｎ＋１番目のサブフィールドでは初期化放電は行われない。これによって小さい背景輝度を実現することができるのである。また、電圧が徐々に変化する傾斜電圧波形を用いた微弱なランプ放電を全面初期化に用いることで、背景輝度をさらに抑えることができる。
【００１４】
このように図９に示した従来の駆動波形を用いることで、背景輝度を抑えた駆動が実現されている。しかし、この駆動波形を用いた場合には、書き込み放電強度が維持放電強度と同程度と大きいために、走査パルスのスイッチングＩＣの発熱および書き込み時の走査電極電圧の電圧ドロップが大きく、信頼性に大きな課題があった。
【００１５】
本発明は上記課題に鑑み、高コントラストと高い信頼性を同時に実現する駆動方法を提供するものである。
【００１６】
【課題を解決するための手段】
本発明のＡＣ型プラズマディスプレイパネルの駆動方法は、維持期間の最後は、維持電極側が陽極となるようなパルス電圧を印加して維持放電を起こした後に、走査電極側が陽極になる上りの傾斜電圧波形を印加して放電を起こし、その後の初期化動作は、前記上りの傾斜電圧波形を印加した後、直ちに下りの傾斜電圧波形を印加することを特徴とするものである。
【００１７】
この方法により、高コントラストで、しかもスキャンＩＣの発熱と書き込み時の走査電極電圧ドロップが小さい信頼性の高いＡＣ型プラズマディスプレイパネルの駆動方法を実現することができる。
【００１８】
【発明の実施の形態】
すなわち、本発明は、走査電極および維持電極からなる電極群を互いに平行に配列して設けた表面基板と、前記走査電極および維持電極と直交する方向に複数のアドレス電極を互いに平行に配列して設けた背面基板とを有し、これらの表面基板と背面基板とを放電空間を挟んで対向配置することによりＡＣ型プラズマディスプレイパネルを構成し、かつ１フィールドをアドレス期間および維持期間を有する複数のサブフィールドにより構成するとともに、パネルの全ての画素に対して行う全面初期化動作を一部のサブフィールドに限定したＡＣ型プラズマディスプレイパネルの駆動方法であって、維持期間の最後は、維持電極側が陽極となるようなパルス電圧を印加して維持放電を起こした後に、走査電極側が陽極になる上りの傾斜電圧波形を印加して放電を起こし、その後の初期化動作は、前記上りの傾斜電圧波形を印加した後、直ちに下りの傾斜電圧波形を印加することを特徴とする駆動方法である。
【００１９】
以下、本発明の一実施の形態によるプラズマディスプレイパネルの駆動方法について、図１〜図７の図面を用いて説明するが、本発明の実施の様態はこれに限定されるものではない。
【００２０】
図１に本発明の一実施の形態によるプラズマディスプレイパネルの駆動方法における駆動波形を示しており、図１（ａ）は、走査電極７に印加する電圧波形、図１（ｂ）は、維持電極８に印加する電圧波形、図１（ｃ）は、アドレス電極９に印加する電圧波形、図１（ｄ）は、放電発光波形を示している。また、図２（ａ）に従来の駆動波形を用いたときの書き込み放電波形を、図２（ｂ）に本発明の駆動波形を用いたときの書き込み放電波形をそれぞれ示す。さらに、図３には、従来の駆動方法を用いた場合の消去及び初期化時における壁電荷の様子を示しており、図３（ａ）は、消去放電が終わった後の壁電荷の様子、図３（ｂ）は、ランプ放電による壁電荷調整をした後の壁電荷の様子、図３（ｃ）は、書き込み放電を起こした後の壁電荷の様子をそれぞれ示している。さらに、図４には、本発明の駆動方法を用いた場合における、消去及び初期化時の壁電荷の様子を示しており、図４（ａ）は、維持放電もしくは消去放電終了後の壁電荷の様子、図４（ｂ）は、傾斜電圧波形による微弱なランプ放電を用いて消去及び壁電荷の調整を行った後の壁電荷の様子、図４（ｃ）は、書き込み放電終了後の壁電荷の様子をそれぞれ示している。
【００２１】
まず、図９に示した従来の駆動方法における消去及び初期化動作を説明する。図９に示す従来の駆動方法においては、図３（ａ）に示すように維持期間の最後の消去動作は、走査電極側が陽極になるような細幅のパルス電圧を印加し、維持放電と同程度に強いパルス放電を生じさせている。そして、その後の初期化動作では、連続的または断続的に変化する下りの傾斜電圧波形を用いた微弱なランプ放電による壁電荷調整を行っている。その時のランプ放電は、走査電極７側が陰極になるような放電になっている。
【００２２】
従来の駆動方法においては、走査電極側が陽極になるようなパルス電圧波形を印加し、放電を起こした後は、図３（ａ）に示すように、走査電極７上の誘電体上にはマイナスの壁電荷が蓄積されており、維持電極８上の誘電体上には、プラスの壁電荷が蓄積されていると考えられる。そして、その後、傾斜電圧波形によるランプ放電を起こすことで、図３（ｂ）に示すように、放電ギャップ近傍の壁電荷が調整される。
【００２３】
このとき、壁電荷の調整時には、傾斜電圧波形による微弱なランプ放電を用いているので、放電ギャップ近傍の壁電荷のみが調整されることになる。よって放電ギャップから距離が離れた誘電体上には、走査電極側、維持電極側に、それぞれ、マイナスとプラスの電荷が残存していることになる。
【００２４】
そして、この状態で、図３（ｃ）に示すように、走査電極側が陰極になるような書き込み放電を起こしてやると、陰極となる走査電極側にプラスの電荷が、陽極となる維持電極側にマイナスの電荷が蓄積され、書き込み放電が終了する。このとき、図３（ｂ）のように、書き込み放電前に走査電極上に蓄積されていたマイナスの壁電荷がプラスの壁電荷に反転していることがわかる。また逆に、書き込み放電前に、維持電極上に蓄積されていたプラスの壁電荷がマイナスの壁電荷に反転していることもわかる。
【００２５】
従来の書き込み放電においては、放電ギャップから離れた誘電体上に蓄積されている壁電荷の極性を反転する必要があったために、書き込み時に多くの電荷が移動する。つまり、大きな書き込み放電電流が流れることになり、図２（ａ）に示すように、強い書き込み放電が生じるのである。
【００２６】
一方、図１に示した本発明の駆動方法における消去及び初期化動作は、図４（ａ）に示すように維持期間の最後の消去動作は、維持電極側が陽極となるようなパルス電圧を印加して維持放電を起こした後に、走査電極７側が陽極になるような上りの傾斜電圧波形を印加して微弱なランプ放電を起こしている。その後の初期化動作では、上りの傾斜電圧波形を印加した後、直ちに下りの傾斜電圧波形を印加して微弱なランプ放電を起こして壁電荷調整を行っている。
【００２７】
この本発明の駆動方法においては、図４（ａ）に示すように、維持終了時に、維持電極側が陽極となるようなパルス電圧による放電を起こし、その後の消去動作時に、連続的または断続的に変化する電圧波形を用いて、走査電極側が陽極となるような微弱なランプ放電を起こしている。
【００２８】
図４（ａ）において、維持電極側が陽極となるようなパルス電圧波形を用いた維持放電終了時は、走査電極の誘電体上にプラスの電荷が、一方、維持電極の誘電体上にマイナスの壁電荷が蓄積されていることがわかる。
【００２９】
その後、走査電極側が陽極となるような上りの傾斜電圧波形を印加する消去動作と、下りの傾斜電圧波形を印加する壁電荷の調整を行う。この消去動作と壁電荷の調整を行った後の壁電荷の様子を図４（ｂ）に示しており、これが、書き込み放電を起こす前の壁電荷の分布となる。
【００３０】
図４（ｃ）に書き込み放電終了後の壁電荷の様子を示しており、書き込み放電は、走査電極側が陰極で維持電極側が陽極になるような放電であるので、書き込み放電によって、陰極である走査電極側にプラスの電荷が、一方維持電極側にマイナスの電荷が蓄積されて、書き込み放電が終了する。
【００３１】
このとき、図４（ｂ）と図４（ｃ）とを比較すると、放電ギャップ近傍のみの電荷が移動しただけで、放電ギャップから離れたところの壁電荷は変化していないことがわかる。書き込み放電を起こす前に、すでに走査電極上にはプラス、維持電極側にはマイナスの電荷が蓄積されているために、書き込み放電時の壁電荷の移動量が少ないのである。つまり、図２（ｂ）に示すように、書き込み時の放電強度が小さく、それに伴って流れる書き込み放電電流も小さいことになる。
【００３２】
なお、本発明の実施の形態においては、連続的または断続的に変化する電圧波形として図５に示すような傾斜電圧波形を示したが、図６や図７に示したような電圧波形であっても良い。
【００３３】
また、図１に示す実施の形態では、全面初期化期間において、維持電極８側にその電圧値が徐々に高くなるような傾斜電圧波形を印加して、維持電極８側が陽極となるような微弱なランプ放電を起こした後に、今度は、維持電極側が陰極となるようなランプ放電を起こして、壁電荷を調整している。この波形を用いることで、全面初期化を起こした後のサブフィールドにおける書き込み放電強度も小さくすることができる。
【００３４】
【発明の効果】
以上のように本発明によれば、アドレス期間および維持期間を有する複数のサブフィールドにより１フィールドを構成するとともに、パネルの全ての画素に対して行う全面初期化動作を一部のサブフィールドに限定したＡＣ型プラズマディスプレイパネルの駆動方法であって、維持期間の最後は、維持電極側が陽極となるようなパルス電圧を印加して維持放電を起こした後に、走査電極側が陽極になる上りの傾斜電圧波形を印加して放電を起こし、その後の初期化動作は、前記上りの傾斜電圧波形を印加した後、直ちに下りの傾斜電圧波形を印加することにより、背景輝度を抑えてコントラストを高めることができ、しかも書き込み放電強度を維持放電の強度よりも小さくすることができる駆動波形を用いることで、信頼性の高いＡＣ型プラズマディスプレイパネルの駆動方法を実現することができる。
【図面の簡単な説明】
【図１】  本発明の一実施の形態によるプラズマディスプレイパネルの駆動方法における要部の動作波形を示す波形図
【図２】  従来の駆動波形および本発明の駆動波形を用いたときの書き込み放電波形を示す波形図
【図３】  従来の駆動波形を用いたときの壁電荷の分布状態を示す説明図
【図４】  本発明における駆動波形を用いたときの壁電荷の分布状態を示す説明図
【図５】  本発明において連続的または断続的に変化する電圧波形の一例を示す波形図
【図６】  本発明において連続的または断続的に変化する電圧波形の一例を示す波形図
【図７】  本発明において連続的または断続的に変化する電圧波形の一例を示す波形図
【図８】  （ａ）、（ｂ）はＡＣ型プラズマディスプレイパネルの断面図
【図９】  従来の駆動方法における要部の動作波形を示す波形図
【符号の説明】
１  パネル
７  走査電極
８  維持電極
９  アドレス電極
【図１】
0004228580.tif 000002
【図２】
0004228580.tif 000003
【図３】
0004228580.tif 000004
【図４】
0004228580.tif 000005
【図５】
0004228580.tif 000006
【図６】
0004228580.tif 000007
【図７】
0004228580.tif 000008
【図８】
0004228580.tif 000009
【図９】
0004228580.tif 000010